(57)【要約】【課題】  携帯電話機の機能多様化及び負荷が大きな処理の増加傾向により、消費電力の低減が必要不可欠である。番号及び文字入力中に無操作で放置した場合には照明オフになるが、画面がそのままというのが現状である。【解決手段】  番号及び文字入力するタイミングで放置タイマーを設定し、番号及び文字の修正または追加したタイミングで放置タイマーを設定し直す。放置タイマー完了時に、ユーザーが放置したと判断し、最後のキー操作の状態を一時的に保存し、保存した状態で低消費電力となる節電状態へ遷移させる。【選択図】  図１
2005151482.tif 000002
【特許請求の範囲】
【請求項１】
表示部と、入力部と、タイマーと、制御部と、を備える携帯端末機に、
上記制御部が、上記入力部により番号又は文字入力中に上記タイマ−により放置タイマーの設定を行う手順と、
上記制御部が、上記放置タイマー中に上記入力部により入力が無い場合、上記表示部に待ち受け画面を表示させるよう制御する手順と、
上記制御部が、上記表示部に待ち受け画面を表示した後、所定時間以内に上記入力部により入力が無い場合に、上記表示部に節電画面を表示させる手順と、
を実行させることを特徴とするプログラム。
【請求項２】
請求項１に記載のプログラムであって、
上記携帯端末機は、記憶部を備え、上記携帯端末機に、
上記記憶部が、上記放置タイマー中に上記入力部により入力が無い場合、入力中の画面を一時保存する手順と、
を実行させることを特徴とするプログラム。
【請求項３】
番号又は文字入力を行なう入力部と、
上記入力部により番号又は文字入力中に放置タイマーの設定を行なうタイマーと、
上記放置タイマー中に上記入力部により入力が無い場合、待ち受け画面を表示し、上記待ち受け画面を表示した後、所定時間以内に上記入力部により入力が無い場合に、節電画面を表示する表示部と、
を有することを特徴とする携帯端末機。
【請求項４】
請求項３に記載の携帯端末機であって、
上記放置タイマー中に上記入力部により入力が無い場合、入力中の画面を一時保存する記憶部を有することを特徴とする携帯端末機。
【発明の詳細な説明】
【技術分野】
【０００１】
本発明は、携帯電話機にて番号又は文字入力中に無操作で放置した場合に、節電状態（低消費電力）へ遷移させる携帯電話機及びコンピュータプログラムに関する。
【背景技術】
【０００２】
携帯電話機において、表示系の消費電力を削除する方法として、予め定められた一定時間、着信または使用者の操作がない場合に、表示部の電源を切ったスタンバイ状態にする方法などがある（例えば、特許文献１）。
【０００３】
【特許文献１】特開２００３−１０１６４３号公報（２頁の段落０００２）
【発明の開示】
【発明が解決しようとする課題】
【０００４】
しかし、携帯電話機における番号及び文字入力時は、キー操作による操作終了または一時保存などにより、待受け画面に戻すユーザー操作が必要であった。よって、番号又は文字入力中に無操作で放置した場合には、待受け画面に戻らず且つ節電画面にもならない。すなわち、消費電力の無駄になっているという問題がある。
【０００５】
また、携帯電話機の機能多様化及び負荷が大きな処理の増加傾向により、消費電力の低減が必要不可欠である。番号又は文字入力中に無操作で放置した場合には照明オフになるが、画面がそのままというのが現状であり、消費電力の無駄になっているという問題がある。
【課題を解決するための手段】
【０００６】
本願発明では、上記問題を解決するため、以下のプログラムを提供する。
【０００７】
表示部と、入力部と、タイマーと、制御部と、を備える携帯端末機に、上記制御部が、上記入力部により番号又は文字入力中に上記タイマ−により放置タイマーの設定を行う手順と、上記制御部が、上記放置タイマー中に上記入力部により入力が無い場合、上記表示部に待ち受け画面を表示させるよう制御する手順と、上記制御部が、上記表示部に待ち受け画面を表示した後、所定時間以内に上記入力部により入力が無い場合に、上記表示部に節電画面を表示させる手順と、を実行させる。
【０００８】
また、記憶部が、上記放置タイマー中に上記入力部により入力が無い場合、入力中の画面を一時保存する手順と、を実行させる。
【発明の効果】
【０００９】
番号及び文字入力中でも節電状態へ遷移可能となり、消費電力の低減が可能になった。また、入力中の画面を一時保存しているため、放置前と同じ状態で編集の続きが可能になった。
【発明を実施するための最良の形態】
【００１０】
以下、図面を用いて本願発明の説明を行なう。
【実施例１】
【００１１】
図５は、携帯電話機１の機能ブロック図である。携帯端末機１は、表示部２、制御部３、タイマー４、電源５、記憶部６と入力部９を備える。表示部２は、例えば、液晶などを用いて情報を表示するものである。タイマー４は、後述の放置タイマー及び節電タイマーとしての機能を果たす。電源５は、携帯端末機１の各部に電源を供給するものであり、節電モードの場合には、所定の箇所には電源の供給を停止したり、供給量を少なくしたりする。記憶部６は、後述の１次保存を行なう１次記憶部７及び通常の記憶を行なう通常記憶部８を有する。制御部３は、携帯端末機１の各部を制御する。
【００１２】
ここで、携帯端末機１の動作を説明する。図１中のＳ１３のように待受け画面からの番号入力をした場合、タイマー４を用いて放置タイマーを設定する。放置タイマー中に入力があった場合、放置タイマーを設定し直す（Ｓ１６）。放置タイマー中に入力がなく（Ｓ１７）、放置タイマー完了した場合（Ｓ１９）、一時保存データを作成し、時間取得を行う（Ｓ２０）。この一時保存データは、図２中の一時保存データ消去まで保持する。待受け画面表示と同時に節電タイマーが設定される（Ｓ２１）が、節電タイマー中に全ての操作が無ければ節電画面に遷移する（Ｓ２２ＹＥＳ）、Ｓ２３、Ｓ２４）。節電タイマー中に何かの操作があれば（Ｓ２２ＮＯ）、一時保存データと同一機能起動判定を行う（Ｓ２６）。節電画面中に何かの操作があれば（Ｓ２５ＹＥＳ）、一時保存データと同一機能起動判定を行う（Ｓ２６）。同一機能起動ならば（Ｓ２６ＹＥＳ）、一時保存復帰確認画面へと遷移する（Ｓ２７）。一時保存復帰確認画面の具体例を図３に示す。復帰要求が選択された場合（Ｓ２９ＹＥＳ）、図４のように一時保存状態の操作を基に、一時保存データの格納エリアを特定し、復帰データ（実施例１では番号入力）とする。復帰拒否が選択された場合（Ｓ２９ＮＯ）、一時保存データを消去し（Ｓ３３）、Ｓ２６の判定前の番号入力を実行する。なお、復帰要求後の復帰画面、復帰拒否後の番号入力に対しても、放置タイマーを適用する（Ｓ１６）。
【００１３】
なお、Ｓ２０において、一次保存データの作成と共に、時間取得を行なっていたが、時間取得を行なわずとも分かる場面があるため、時間取得は必須というわけではない。
【００１４】
なお、Ｓ２７において一時保存復帰確認画面で更に放置される可能性があるため、一時保存復帰確認画面にも放置タイマーを設定しても良い。しかし、ユーザーのキー操作で起動した画面であるのでこの実施例では放置タイマーの対象外としている。
【００１５】
また、これらの動作を実行するためのプログラムを携帯端末機にダウンロードすることにより、同様の動作を行なえるようにしてもよい。この場合、携帯端末機を買い換える必要がなく、費用の節減になる。
【実施例２】
【００１６】
また、図１中のＳ１４のようにアドレス帳やメール機能などを起動した後の番号入力又は文字入力をした場合も、実施例１とほぼ同様の動作を行なうが、Ｓ３２においてＮＯとなり、Ｓ３５〜Ｓ３７を経由することが実施例１と異なる点である。
【００１７】
Ｓ２９で復帰拒否が選択された場合、一時保存データを消去し（Ｓ３２ＮＯ、Ｓ３５）、Ｓ２６の判定前のアドレス帳またはメール機能の起動を実行する。なお、復帰要求後の復帰画面、復帰拒否後の番号入力又は文字入力に対しても、放置タイマーを適用する（Ｓ１６）。
【図面の簡単な説明】
【００１８】
【図１】本発明の携帯電話機の入力中画面から節電画面への遷移、及び復帰手段を概略的に示す図である。
【図２】図１の一時保存復帰確認画面からの処理の流れを示す図である。
【図３】一時保存復帰確認画面の表示の具体例を示す図である。
【図４】一時保存データの保持形態を示す図である。但し、操作がアドレス帳起動またはメール機能起動の場合は、番号または文字入力のいずれか最終状態の方を復帰データとする。
【図５】携帯端末機１の機能ブロック図である。
【符号の説明】
【００１９】
１・・・携帯端末機、２・・・表示部、３・・・制御部、４・・・タイマー、５・・・電源、６・・・記憶部、９・・・入力部
【図１】
2005151482.tif 000003
【図２】
2005151482.tif 000004
【図３】
2005151482.tif 000005
【図４】
2005151482.tif 000006
【図５】
2005151482.tif 000007